(57)【特許請求の範囲】
【請求項１】
吐水ヘッドに設けた筒状の容器部の内側に、原水を径方向に通過させて浄化を行う筒状の浄化カートリッジを収容するとともに、該容器部の内周面と該浄化カートリッジの外周面との間の空間に、筒状の非透水性の隔壁を設けて該空間を前記容器部側の外流路と、該浄化カートリッジ側の内流路とに区画するとともに、該内流路の軸方向の一端側を全体的に若しくは部分的に開放状態、他端側を閉鎖状態として、前記外流路を原水通過流路とし、前記内流路を前記一端側の開放部から原水導入して原水を前記浄化カートリッジの内部に流入させるカートリッジ流入流路としてそれぞれ形成する一方、
該浄化カートリッジの下流側には、吐水口に到る原水流路と浄水流路とを開閉して吐水口からの原水吐水と浄水吐水とを切り替える切替弁を設け、
該切替弁による前記原水流路開，浄水流路閉の下では、原水を前記原水通過流路を通過させた後該切替弁を経由して吐水口から原水吐水させる一方、該原水流路閉，浄水流路開の下では、原水を前記カートリッジ流入流路に導入した上、前記浄化カートリッジを通過させ、浄水流路の一部をなす該浄化カートリッジの中心流路から浄水を流出させ、前記切替弁を経由して吐水口から浄水吐水させるようになしてあることを特徴とする浄水装置付き吐水ヘッド。
【請求項２】
請求項１において、前記内流路は、前記原水通過流路における下流側が前記開放状態となしてあることを特徴とする浄水装置付き吐水ヘッド。
【請求項３】
請求項１において、前記内流路は、前記原水通過流路における上流側が前記開放状態となしてあることを特徴とする浄水装置付き吐水ヘッド。
【請求項４】
請求項１〜３の何れかにおいて、前記浄化カートリッジには前記開放側の軸方向の端部に非透水性の端部部材が装着してあり、
該端部部材には、周方向に間隔を隔てて径方向外方に突出する嵌合突部が設けてあって、該嵌合突部に対して前記隔壁の軸方向端部が嵌合させてあり、それら嵌合突部と嵌合突部との間において前記内流路が開放状態となしてあることを特徴とする浄水装置付き吐水ヘッド。
【請求項５】
請求項１〜４の何れかにおいて、前記隔壁には、径方向内方に突出する形状で軸方向に延び、前記浄化カートリッジの外周面に当接する突条形態のリブが周方向に間隔を隔てて複数設けてあることを特徴とする浄水装置付き吐水ヘッド。
【請求項６】
請求項１〜５の何れかにおいて、前記浄化カートリッジにはカバーが取り付けてあり、該カバーにて前記隔壁が構成してあることを特徴とする浄水装置付き吐水ヘッド。
【請求項７】
請求項６において、前記カバーの外面には、前記浄化カートリッジの使用に際しての説明文が記してあることを特徴とする浄水装置付き吐水ヘッド。
【請求項８】
筒状の容器部の内側に収容されて、原水を外周面から中心部に向けて径方向に通過させ、原水を浄化する筒状の浄化カートリッジの外周側に、筒状をなす非透水性のカバーを、該カバーと該浄化カートリッジの外周面との間に空間を形成し且つ該空間の軸方向の一端側を全体的に若しくは部分的に開放状態とし、他端側を閉鎖状態とする状態に取り付けてあることを特徴とするカバー付き浄化カートリッジ。
【請求項９】
請求項８において、前記浄化カートリッジには前記開放側の軸方向の端部に非透水性の端部部材が装着してあり、該端部部材には、周方向に間隔を隔てて径方向外方に突出する嵌合突部が設けてあって、該嵌合突部に対して前記カバーの端部が嵌合させてあり、それら嵌合突部と嵌合突部との間において前記空間が開放状態となしてあることを特徴とするカバー付き浄化カートリッジ。
【請求項１０】
請求項８，９の何れかにおいて、前記カバーには、径方向内方に突出する形状で軸方向に延び、前記浄化カートリッジの外周面に当接する突条形態のリブが周方向に間隔を隔てて複数設けてあることを特徴とするカバー付き浄化カートリッジ。
【請求項１１】
請求項８〜１０の何れかにおいて、前記カバーの外面には前記浄化カートリッジの使用に際しての説明文が記してあることを特徴とするカバー付き浄化カートリッジ。
【請求項１２】
請求項８〜１１の何れかにおいて、前記カバーは前記浄化カートリッジとは別体に構成されていることを特徴とするカバー付き浄化カートリッジ。
【発明の詳細な説明】
【技術分野】
【０００１】
この発明は浄水装置を備えた浄水装置付き吐水ヘッド及びカバー付き浄化カートリッジに関する。
【背景技術】
【０００２】
吐水ヘッドに設けた筒状の容器部の内側に、同じく筒状をなす浄化カートリッジを収容し、上流側から流れて来た原水（水道水）を浄化カートリッジに通して浄化し、浄水として吐水口から吐水する浄水装置付き吐水ヘッドが公知である。
例えば下記特許文献１にこの種の浄水装置付き吐水ヘッドの要部が開示されている。
【０００３】
この特許文献１に開示のものでは、吐水ヘッドに設けた容器部と浄化カートリッジとの間の空間を原水を流通させるための流路となし、原水吐水時には容器部と浄化カートリッジとの間の空間を通じて原水を軸方向に流し、そのまま先端の吐水口から原水吐水させる一方、浄水吐水時には同空間内に到った原水がこれを軸方向に通過するのを阻止して、原水をその空間から浄化カートリッジに流入させるとともにこれを径方向に通過させ、浄水流路の一部をなす中心流路から流出させて、先端の吐水口から浄水吐水するようになしている。
【０００４】
この浄水装置付き吐水ヘッドでは、吐水ヘッドの内部空間を浄化カートリッジの収容空間として、また原水流通のための流路として有効に活用でき、従って吐水ヘッドを細くコンパクトに構成し得る利点を有している。
【０００５】
この浄水装置付き吐水ヘッドの場合、容器部と浄化カートリッジとの間の空間が、原水吐水時において原水を浄化カートリッジの外周面に沿って流通させ、浄化カートリッジを軸方向に通過して吐水口に到らしめる流路、即ち原水通過流路を成していると同時に、浄水吐水時において原水を浄化カートリッジ内に流入させるための流路、即ちカートリッジ流入通路をも成している。
そこでこれを利用して、原水吐水時における浄化カートリッジの外周面に沿った原水の軸方向の流れを、浄水吐水時に浄化カートリッジの外周面に付着した汚れを浄化カートリッジの外周面から取り除くための流れとして利用することが考えられる。
しかしながらこのようなことは、使用者に対し次のような不安感を与えてしまう恐れがある。
【０００６】
仮に浄化カートリッジの外周面に沿って軸方向に流れた原水が、その流れによって浄化カートリッジの外周面に付着した汚れをクリーニング作用で除去するとなると、その汚れを含んだ原水がそのまま吐水口から原水吐水されることとなり、使用者に対し不安感を与えてしまうことが危惧される。
【０００７】
また高温の原水を使用する場合は、その高温の原水の流れによって浄化カートリッジにおける浄化材としての活性炭が温度上昇し、そのことによって浄化の際に吸着した物質が原水の流れの中に流出して来る恐れがある。
【０００８】
更にこの種の浄水装置付き水栓に用いられる浄化カートリッジには、浄化材の外周面がそのまま外部に露出していたり、或いは外周面に濾材として働く不織布が巻いてあるものがあり、この場合カートリッジ交換或いはカートリッジ装着のために使用者が新しい浄化カートリッジの外周面を汚れた手で掴んだりすると、その手の汚れが浄化カートリッジの外周面に付着してしまったり、また外周面の不織布を傷付けてしまったりする恐れがある。
【０００９】
その他、外周面に不織布を設けた浄化カートリッジにあっては、通水によって不織布が濡れるとその内側の浄化材、例えば活性炭の色で不織布が黒色を呈してしまい、この場合浄化カートリッジの外周面に文字その他の記号を記しておいても、これを使用者に対し認識させることが困難であるといった問題がある。
【００１０】
浄化カートリッジを梱包する、通常使い捨てとなる箱には浄化カートリッジ使用に際しての注意事項とか使い方等についての説明文を記しておくが、実はこの説明文は浄化カートリッジ自体に記しておく方が、使用者の目に触れる機会が多く望ましいものであるが、従来はそうしたことができないために、やむなくカートリッジを梱包する箱に記していたのが実情である。
【先行技術文献】
【特許文献】
【００１１】
【特許文献１】特開２００３−１８４１４６号公報
【発明の概要】
【発明が解決しようとする課題】
【００１２】
本発明は以上のような事情を背景とし、原水吐水時において汚れを含んだ原水が吐水されてしまう恐れがなく、また高温の原水を流した場合であっても、浄化カートリッジの活性炭に吸着された物質が原水中に流出して来る恐れのない浄水装置付き吐水ヘッドを提供することを目的としてなされたものである。
また他の目的として、浄化カートリッジの外周面を使用者が汚れた手で掴んだ場合であっても、浄化カートリッジの外周面が傷付いたりそこに汚れが付着してしまったりすることがなく、更に使用者が梱包箱から浄化カートリッジを取り出した後においても、浄化カートリッジ自体にて使用に際しての必要な事項を使用者に認識させることのできるカバー付き浄化カートリッジを提供することを目的としてなされたものである。
【課題を解決するための手段】
【００１３】
而して請求項１は浄水装置付き吐水ヘッドに関するもので、吐水ヘッドに設けた筒状の容器部の内側に、原水を径方向に通過させて浄化を行う筒状の浄化カートリッジを収容するとともに、該容器部の内周面と該浄化カートリッジの外周面との間の空間に、筒状の非透水性の隔壁を設けて該空間を前記容器部側の外流路と、該浄化カートリッジ側の内流路とに区画するとともに、該内流路の軸方向の一端側を全体的に若しくは部分的に開放状態、他端側を閉鎖状態として、前記外流路を原水通過流路とし、前記内流路を前記一端側の開放部から原水導入して原水を前記浄化カートリッジの内部に流入させるカートリッジ流入流路としてそれぞれ形成する一方、該浄化カートリッジの下流側には、吐水口に到る原水流路と浄水流路とを開閉して吐水口からの原水吐水と浄水吐水とを切り替える切替弁を設け、該切替弁による前記原水流路開，浄水流路閉の下では、原水を前記原水通過流路を通過させた後該切替弁を経由して吐水口から原水吐水させる一方、該原水流路閉，浄水流路開の下では、原水を前記カートリッジ流入流路に導入した上、前記浄化カートリッジを通過させ、浄水流路の一部をなす該浄化カートリッジの中心流路から浄水を流出させ、前記切替弁を経由して吐水口から浄水吐水させるようになしてあることを特徴とする。
【００１４】
請求項２のものは、請求項１において、前記内流路は、前記原水通過流路における下流側が前記開放状態となしてあることを特徴とする。
【００１５】
請求項３のものは、請求項１において、前記内流路は、前記原水通過流路における上流側が前記開放状態となしてあることを特徴とする。
【００１６】
請求項４のものは、請求項１〜３の何れかにおいて、前記浄化カートリッジには前記開放側の軸方向の端部に非透水性の端部部材が装着してあり、該端部部材には、周方向に間隔を隔てて径方向外方に突出する嵌合突部が設けてあって、該嵌合突部に対して前記隔壁の軸方向端部が嵌合させてあり、それら嵌合突部と嵌合突部との間において前記内流路が開放状態となしてあることを特徴とする。
【００１７】
請求項５のものは、請求項１〜４の何れかにおいて、前記隔壁には、径方向内方に突出する形状で軸方向に延び、前記浄化カートリッジの外周面に当接する突条形態のリブが周方向に間隔を隔てて複数設けてあることを特徴とする。
【００１８】
請求項６のものは、請求項１〜５の何れかにおいて、前記浄化カートリッジにはカバーが取り付けてあり、該カバーにて前記隔壁が構成してあることを特徴とする。
【００１９】
請求項７のものは、請求項６において、前記カバーの外面には、前記浄化カートリッジの使用に際しての説明文が記してあることを特徴とする。
【００２０】
請求項８はカバー付き浄化カートリッジに関するもので、筒状の容器部の内側に収容されて、原水を外周面から中心部に向けて径方向に通過させ、原水を浄化する筒状の浄化カートリッジの外周側に、筒状をなす非透水性のカバーを、該カバーと該浄化カートリッジの外周面との間に空間を形成し且つ該空間の軸方向の一端側を全体的に若しくは部分的に開放状態とし、他端側を閉鎖状態とする状態に取り付けてあることを特徴とする。
【００２１】
請求項９のものは、請求項８において、前記浄化カートリッジには前記開放側の軸方向の端部に非透水性の端部部材が装着してあり、該端部部材には、周方向に間隔を隔てて径方向外方に突出する嵌合突部が設けてあって、該嵌合突部に対して前記カバーの端部が嵌合させてあり、それら嵌合突部と嵌合突部との間において前記空間が開放状態となしてあることを特徴とする。
【００２２】
請求項１０のものは、請求項８，９の何れかにおいて、前記カバーには、径方向内方に突出する形状で軸方向に延び、前記浄化カートリッジの外周面に当接する突条形態のリブが周方向に間隔を隔てて複数設けてあることを特徴とする。
【００２３】
請求項１１のものは、請求項８〜１０の何れかにおいて、前記カバーの外面には前記浄化カートリッジの使用に際しての説明文が記してあることを特徴とする。
【００２４】
請求項１２のものは、請求項８〜１１の何れかにおいて、前記カバーは前記浄化カートリッジとは別体に構成されていることを特徴とする。
【発明の作用・効果】
【００２５】
以上のように本発明は、容器部と浄化カートリッジとの間の空間を、隔壁にて容器部側の外流路と浄化カートリッジ側の内流路とに区画するとともに、浄化カートリッジの下流側に、吐水口に到る原水流路と浄水流路とを開閉し、吐水口からの原水吐水と浄水吐水とに切り替える切替弁を設けて、原水吐水時には浄化カートリッジに向けて流れて来た原水を上記の外流路を通じて、即ち原水通過流路を通じて浄化カートリッジの外周面に触れることなく原水を軸方向に通過させ、吐水口に到らしめる一方、浄水吐水時には原水を内流路、即ち浄化カートリッジ側のカートリッジ流入通路に導入して浄化カートリッジを通過させ、浄化後の浄水を吐水口に到らしめるようになしたものである。
【００２６】
本発明では、原水吐水時に上流側から浄化カートリッジに到った原水を、浄化カートリッジ側の内流路を流通させず容器部側の外流路を流通させるようになしているため、即ち原水が浄化カートリッジの外周面に接触しながら軸方向に流れないようにし、浄化カートリッジとは離れた外流路を軸方向に流れ、浄化カートリッジを通過するようになしているため、浄水吐水時に浄化カートリッジの外周面に付着した汚れが原水の流れによって取り除かれ、原水中に入り込んで来るといったことを確実に防止することができ、従って吐水口からの原水吐水を常に清浄な吐水となすことができる。
【００２７】
また原水吐水時に高温の原水を流した場合であっても、原水が流れる外流路即ち原水通過流路は、浄化カートリッジから離れた位置にあるため、浄化カートリッジの温度上昇を抑制し得て、浄化カートリッジに吸着された物質が放出されるのを防止できる。従ってたとえば高温の原水を流した後に常温の上水を流したとしても、浄水吐水中にその放出された物質が混入するのを防ぐことができる。
【００２８】
また本発明では、容器部と浄化カートリッジとの間の空間に隔壁を設けるだけで、互いに独立した容器側の外流路と浄化カートリッジ側の内流路とを画成でき、また容器部と浄化カートリッジとの間の空間をそのまま利用して、それら２つの流路を形成するため、２つの流路を別々に形成しているにも拘らず容器部を細くコンパクトに構成することができる。
【００２９】
尚、本発明では切替弁を浄化カートリッジの下流側に配置しており、この場合、例えば吐水ヘッドの頭部の内部スペースを活用してそこに切替弁を納めておくことができる。
また使用者に近い位置で操作部を操作して切替弁を切替動作させることができる。
そして浄化カートリッジの下流側で原水流路，浄水流路を開閉することで、これよりも上流側の流路の切替えをなすことができる。
この場合、吐水口に到るまでの原水流路及び浄水流路を含む全体の流路の構成を簡単な構成となすことができる。
【００３０】
本発明では、上記内流路の原水通過流路における下流側を開放状態となしておくことができる（請求項２）。
この場合、浄水吐水時においては一旦外流路即ち原水通過流路を、軸方向に通過した後の原水の流れが、内流路の軸方向の一端側の開放部からその内流路即ちカートリッジ流入通路内に流れ込み、更にその流れ込んだ原水の流れが浄化カートリッジを通過してそこで浄化される。
そして浄化後の浄水が、浄化カートリッジの中心流路から流出して吐水口に到り、そこから浄水吐水される。
一方原水吐水時には、外流路である原水通過流路を軸方向に通過した原水の流れはそのまま吐水口へと到り、そこから原水吐水される。
【００３１】
尚、上記したように切替弁は浄化カートリッジよりも吐水管の先端側、例えば頭部の内部に収容しておくことが望ましく、この場合において、上記原水通過流路に続く原水流路を頭部の内部で浄化カートリッジ側に折り返して、上記内流路であるカートリッジ流入流路の、原水通過流路における下流側の開放部に連絡し、そして頭部の内部で原水通過流路とカートリッジ流入流路とを繋ぐ流路を開閉する弁部を設けて、弁部の開状態の下で、原水通過流路から流れ出た原水を上記開放部からカートリッジ流入流路へと流入させ、更にこれをカートリッジを通過させて浄化した浄水を、再び頭部側に戻して吐水口から浄水吐水させるようになすといったことも可能である。
【００３２】
しかしながらこのようにすると、必然的に流路の構成が複雑化し、従って吐水ヘッドの内部構造が複雑化してしまう。
しかるにこの請求項２によれば流路の構成を極めて簡単なものとなすことができる。
【００３３】
一方で本発明においては、上記内流路の原水通過流路における上流側を開放状態となしておくこともできる（請求項３）。
この場合には、切替弁を浄水吐水側に切り替えておくと、上流側から浄化カートリッジに到った原水は、外流路である原水通過流路を流通することができず、原水は上流側の開放部から内流路であるカートリッジ流入流路へと導入されて浄化カートリッジを通過し、浄水となって吐水口へと導かれる。
【００３４】
次に請求項４は、浄化カートリッジにおける開放側の軸方向端部に非透水性の端部部材を装着して、その端部部材に、周方向に間隔を隔てて径方向外方に突出する複数の嵌合突部を設け、それら嵌合突部に対し隔壁の軸方向端部を嵌合させることで、それら嵌合突部と嵌合突部との間において上記内流路（カートリッジ流入流路）を開放状態となしたもので、このようにすることで、筒状の隔壁をカートリッジの外周面に対し径方向に位置決めし、隔壁と浄化カートリッジとの間に内流路を確保しつつ、内流路の軸方向一端側を開放状態となすことができる。
【００３５】
この場合において嵌合突部における外周面の軸方向内側の端部には、軸方向内側に進むにつれて径方向内方に移行する傾斜形状のガイド面を設けておくことができる。
このようにしておけば、嵌合突部に対し隔壁の軸方向端部を嵌合させる際、ガイド面のガイド作用で円滑に隔壁の軸方向端部を嵌合させることができる。
【００３６】
一方嵌合突部と嵌合突部との間の部分については、その外周面且つ軸方向外側の端部に、軸方向外側に進むにつれて径方向内方に移行する傾斜形状のガイド面を設けておくことができる。
このようにすることで、原水が開放部から内流路であるカートリッジ流入流路に流れ込む際の抵抗を少なくでき、原水をカートリッジ流入流路へと円滑に流入させることができる。
【００３７】
更に上記隔壁には、径方向内方に突出する形状で軸方向に延び、浄化カートリッジの外周面に当接する突条形態のリブを、周方向に間隔を隔てて複数設けておくことができる（請求項５）。
このようにすれば、隔壁をカートリッジの外周面に対し更に一層正確に径方向に位置決めでき、従って隔壁の内側に設定した流路幅のカートリッジ流入流路をより正確に確保することができる。
また隔壁を変形を生じ易い樹脂製とした場合においても、それらリブによる補強効果によって有効に変形抑制することができる。
【００３８】
本発明では、浄化カートリッジにカバーを取り付け、そのカバーにて上記隔壁を構成しておくことができる（請求項６）。
このようにしておけば、浄化カートリッジを装着すると同時に内流路と外流路とを区画する隔壁を形成することができ、容器部側に予めこのような隔壁を設けておく必要を無くすことができる。
【００３９】
またこのように浄化カートリッジに取り付けたカバーにて隔壁を構成するようになした場合、カートリッジの装着或いは交換に際して使用者がカートリッジを手で掴んだとき、カートリッジ外周面の不織布等の濾材の表面が傷付いてしまったり、或いは汚れた手でカートリッジを掴んだ場合であっても、その汚れが浄化カートリッジの外周面の濾材に付着してしまったりするのを防止することができる。
【００４０】
この場合において、そのカバーの外面には浄化カートリッジの使用に際しての説明文を記しておくことができる（請求項７）。
このようにすることで、使用者がその説明文を見る機会を多くすることができる。
【００４１】
次に請求項８〜請求項１２はカバー付き浄化カートリッジに関するもので、これらのカバー付き浄化カートリッジは上記の浄水装置付き吐水ヘッドに好適に用いることができる。
この場合においてカバーは浄化カートリッジに対して一体に構成しておくことも可能であるが、これを別体として浄化カートリッジに後組付けで組み付けるようになしておくことができる（請求項１２）。
【図面の簡単な説明】
【００４２】
【図１】本発明の一実施形態の浄水装置付き吐水ヘッドをキッチン水栓に適用した場合の全体図である。
【図２】図１の吐水管の頭部に設けてある切替操作部を拡大して示す図である。
【図３】図１の浄水装置付き水栓の内部構造を示す断面図である。
【図４】図３の吐水管の内部構造を示す断面図である。
【図５】図４の頭部の要部拡大図である。
【図６】同じく図４の頭部の図５とは異なった断面の要部拡大図である。
【図７】図５の頭部を分解して示す断面図である。
【図８】同実施形態における弁ケーシングを示す斜視図である。
【図９】同実施形態における弁体を示す斜視図である。
【図１０】図９に示す弁体の（Ａ）正面図，（Ｂ）側面図，（Ｃ）断面図及び（Ｄ）背面図である。
【図１１】同実施形態におけるカバー付き浄化カートリッジを示す斜視図である。
【図１２】図１１に示すカバー付き浄化カートリッジの断面図である。
【図１３】図１１のカバー付き浄化カートリッジを浄化カートリッジとカバーとに分解して示した図である。
【図１４】図１３の浄化カートリッジのエンドキャップ部分を拡大して示した図である。
【図１５】同実施形態における原水吐水時及び浄水吐水時の吐水管内部の水の流れを示した図である。
【図１６】本発明の他の実施形態のカバー付き浄化カートリッジを示した図である。
【図１７】図１６のカバー付き浄化カートリッジを装着した場合の水の流れを示した図である。
【図１８】本発明の更に他の実施形態を示した図である。
【図１９】本発明の更に他の実施形態を示した図である。
【図２０】図５の切替弁の作用を示す図である。
【図２１】図２０における原水ストレート吐水，浄水ストレート吐水，原水シャワー吐水の切替時の作用を示す図である。
【図２２】図２１の各作用時における切替操作部の状態を示す図である。
【発明を実施するための形態】
【００４３】
次に本発明を浄水装置付きの吐水ヘッドを備えたキッチン水栓に適用した場合の実施形態を図面に基づいて詳しく説明する。
図１において、１はキッチンに設置されたキャビネットで、２はシンク、３はカウンターで、このカウンター３上にシングルレバー式の混合水栓（以下単に水栓とする）１０が起立状態で設置されている。
同図において、４は水栓１０に対し水，湯を供給するためのサプライ管であって、下端部が止水栓５を介して元配管に接続され、また上端部が水栓１０における水栓本体１２にそれぞれ接続されている。
この水栓本体１２からは下向きに接続管６が延び出しており、その接続管６に対して可撓性のホース２２の端部が接続されている。
【００４４】
水栓１０は、水栓本体１２の上部にシングルレバー式のハンドル１４を備えており、更にまた水栓本体１２からシンク２の上方に向って吐水管１６が延び出している。
水栓本体１２の内部には、図３に示しているように吐止水と吐水の水量調節及び温度調節を行う主弁７が内蔵されており、その主弁７に対し上記ハンドル１４が作動的に連結されている。
この水栓１０では、ハンドル１４を左右回動操作することで吐水の温度調節が行われ、また上下に回動操作することで吐止水及び吐水の水量調節が行われる。
【００４５】
吐水管１６は、水栓本体１２に固定の吐水管基部１８と、上記ホース２２の端部が接続固定されてそのホース２２とともに引出可能な吐水ヘッド２０とを有している。
この吐水ヘッド２０の先端部には、後に詳述する原水ストレート吐水，原水シャワー吐水及び浄水ストレート吐水を切替操作するためのレバー式且つ回転式の切替操作部２４（図２参照）が外部に突き出す状態で設けられている。
【００４６】
図４にも示しているように、吐水ヘッド２０は筒状をなす吐水ヘッド本体（グリップ部）２６と、その先端側の頭部２８とを有している。
ここで頭部２８は吐水ヘッド本体２６と別体とされていて、吐水ヘッド本体２６に対し脱着可能とされている。
本実施形態では、この頭部２８の脱着によって、その内部に収容されている後述の浄化カートリッジ４２が交換可能とされている。
【００４７】
ここで頭部２８は、吐水ヘッド本体２６に取り付けられた状態で浄化カートリッジ４２を軸方向、詳しくは図４中左方向に押えるカートリッジ押えとしての働きも有している。
吐水ヘッド本体２６には、その基端部に上記ホース２２がシール部材３０によるシールの下に水密に接続固定されている。
【００４８】
ここでホース２２は、吐水管基部１８の先端部に取付固定された筒状をなすホースガイド３１の中心部のホース挿通孔３２に軸方向に摺動可能に挿通されている。
このホースガイド３１はまた、吐水ヘッド２０をここに差し込むことでこれを保持する機能も有している。
【００４９】
吐水ヘッド本体２６は、筒状をなす化粧カバー（外筒）３８と内筒４０との二重筒構造をなしており、そしてその吐水ヘッド本体２６を容器部として、より詳しくは内筒４０を容器部としてその内部に原水（水道水）を半径方向に通過させることによってこれを浄化する浄化カートリッジ４２が収容されている。
浄化カートリッジ４２は全体として円筒形状をなす部材であって、中心部の円筒形状の多孔質のセラミックフィルタ４４を有しており、これを支持体としてその外面に珪藻土４６の層が、更にその外面に活性炭４８の層が積層形成され、その外周面に白色の不織布５０が巻き付けられている。
ここでセラミックスフィルタ４４，珪藻土４６の層，活性炭４８の層及び外周面の不織布５０は、何れも水質浄化のための浄化材としての働きを有する。
【００５０】
この浄化カートリッジ４２は、図１１〜図１３にも示しているように軸方向各端部のそれぞれに、非通水性の樹脂製のエンドキャップ（端部部材）１３６，１３８を有している。
これらエンドキャップ１３６，１３８は、それぞれ全体が透光性の部材にて構成されており、エンドキャップ１３６，１３８を通じて浄化カートリッジ４２の軸方向の両端面を外部から目視観察できるようになっている。
【００５１】
上記ホース２２の先端部には、浄化カートリッジ４２が外れたときに水路を緊急遮断する緊急遮断弁５１が設けられており、ホース２２は、この緊急遮断弁５１を介して固定リング５７により吐水ヘッド本体２６に接続固定されている。
詳しくは、緊急遮断弁５１の弁ケーシングの軸方向の一端部（図中左端部）がホース２２に固定され、また他方の端部が固定リング５７により吐水ヘッド本体２６の内筒４０に固定されている。
ここで緊急遮断弁５１は、弁ケーシングの内側に弁体１４０を有している。
弁体１４０は、スプリングによって図中右向きに付勢されており、浄化カートリッジ４２が所定位置に装着されると、その浄化カートリッジ４２にて弁体１４０が図中左向きに押されて開弁せしめられる。
一方浄化カートリッジ４２が外れると、弁体１４０がスプリングの付勢力で右向きに移動して閉弁し、流路を遮断する。
固定リング５７は、吐水ヘッド２０の内筒４０にねじ結合されている。即ち固定リング５７を内筒４０にねじ込んで行くことで、緊急遮断弁５１の弁ケーシングが吐水ヘッド２０の内筒４０に接続固定される。
【００５２】
図５に示しているように、頭部２８の下面には原水及び浄水を整流束としてストレート吐水する共通のストレート吐水口６２がその中心部に設けられており、またこれを取り囲む位置に原水をシャワー吐水する原水シャワー吐水口６４が設けられている。
そしてこれらストレート吐水口６２，原水シャワー吐水口６４に連通して、頭部２８の内部にストレート流路６８，原水シャワー流路７０がそれぞれ形成されている。
【００５３】
上記浄化カートリッジ４２の下流側であって頭部２８の内部には、原水ストレート吐水，浄水ストレート吐水及び原水シャワー吐水を切り替えるための、シリンダ式弁から成る切替弁７４が配設されている。
この切替弁７４の具体的構成が図５及び図６〜図１０に詳しく示してある。
【００５４】
図５〜図７に示しているように、この切替弁７４は弁ケーシング７８と、弁ケーシング７８に対し回転可能に内嵌する弁体７６とを有している。
図６に示しているように、弁ケーシング７８には外筒接続部８０と内筒接続部８２とが一体に形成されていて、その外筒接続部８０が、吐水ヘッド本体２６の端部内側にＯリングを介して水密に嵌合接続されている。
また一方、内筒接続部８２が浄化カートリッジ４２の軸方向端部に、詳しくはエンドキャップ１３６に形成された筒状の雄嵌合部１２２の外側に、Ｏリングを介して水密に嵌合接続されている。
【００５５】
この状態において、内筒接続部８２の内側には、浄水流路の一部を成す浄化カートリッジ４２の中心流路６０Ａに続く浄水流路６０Ｂが形成され、また外筒接続部８０の内側には、後述の吐水ヘッド本体２６側の外流路、即ち原水流路の一部を成す原水通過流路５８Ａに続く原水流路５８Ｂが形成されている。
尚原水流路５８Ｂの端部には、原水流路５８Ｂにごみ等の異物が侵入するのを防止するためのリング状のストレーナ１００が装着されている。
【００５６】
図９及び図１０に示しているように、弁体７６は略円形をなす大径の本体部８４と軸部８６とを有している。
軸部８６は、更に基端側の円形部８８と角形部９０とを有しており、図６，図７に示すようにその角形部９０に対してスペーサリング９４と、切替操作部２４の基部９２とが一体回転状態に外嵌された上、それらが締結ねじ９６にて軸方向に抜止状態に固定されている。
【００５７】
一方軸部８６の円形部８８は、弁ケーシング７８に形成された円筒部１２９の内側にＯリング１１４を介して水密に回転可能に嵌合されている。
尚、９８は締結ねじ９６を隠蔽するためのキャップである。
また１０２は、弁ケーシング７８の図中下端の円形状の開放部を閉鎖する、対応した円形状の閉鎖部材であって、Ｏリング１０４を介して水密に嵌合固定されている。
【００５８】
上記弁体７６における本体部８４には、図９，図１０に示しているようにその外周面で且つ周方向の異なった位置で開口する開口（第１開口）１０６と、開口（第２開口）１０８とが設けられており、また弁体７６内部でそれらを連絡するくの字状に屈曲した単一の内部流路１１０が設けられている。
ここで開口１０６と１０８とは、周方向に９０°隔たった位置に設けられている。
【００５９】
本体部８４はその外周面が略円形をなしているとともに、所定周長に亘って一部が切り欠かれている。図９中１１２はその切欠部を表している。
この切欠部１１２の周方向の両端は、後述するストッパ突起１３２（図２０参照）に当接する当接面１１２Ａ，１１２Ｂとされている。
またこの本体部８４には、軸方向に貫通する窓１１６が設けられている。
本体部８４にはまた、これを径方向に貫通する窓１１８が設けられており、これら窓１１６，１１８を通じて、本体部８４におけるフランジ１２３側の内側空間が本体部８４の外側空間と連通させられている。
尚、図９（Ｂ）に示しているように本体部８４には補強用のリブ１２０が放射状に設けられている。
【００６０】
一方、図８に示しているように弁ケーシング７８には貫通の円形の開口から成る、上記原水及び浄水共通のストレート吐水口６２に連通したストレート流出部（第１流出部）１２４と、原水シャワー吐水口６４に連通した、同じく円形の開口から成るシャワー流出部（第２流出部）１２６が周方向に並べて設けられている。
更にこのシャワー流出部１２６に並んで、図８（Ｃ）中上側位置には、浄水流路６０Ｂからの浄水を弁ケーシング７８内部に流入させる、開口から成る浄水流入部（第２流入部）１２８が、浄水流路６０Ｂに連通して設けられている。
【００６１】
尚１３０は、弁ケーシング７８と弁体７６との間において、それら開口（ストレート流出部１２４，シャワー流出部１２６，浄水流入部１２８）周りをシールする弾性材から成るシート状のシール部材である。
このシール部材１３０には、上記ストレート流出部１２４，シャワー流出部１２６及び浄水流入部１２８の各開口に対応する位置に円形の貫通孔を備えている。
【００６２】
図６に示しているように、弁ケーシング７８と弁体７６との間には隙間が略半環状に形成されており、この隙間が、原水流路５８Ｂに連通した、原水流路５８Ｂの一部を成す原水の通水室（第１流入部）１３１とされている。
ここで通水室１３１は、図２０にも示しているように略１８０°強の角度範囲に亘って形成されている。
【００６３】
図６の吐水ヘッド本体２６側の原水通過流路５８Ａを流通した原水は、弁ケーシング７８における原水流路５８Ｂを通じて、この通水室１３１内に流入する。
この通水室１３１においては、弁体７６（詳しくは本体部８４）の外周面がシール部材を介することなく直接通水室１３１に露出させられており、弁ケーシング７８と弁体７６との間はシール部材によるシールが行われていない。
ここで通水室１３１は、弁体７６の円形部８８に取り付けられたＯリング１１４と、閉鎖部材１０２に取り付けられたＯリング１０４とによって外部に対し水密にシールされている。
【００６４】
図２０は、このシリンダ式弁装置から成る切替弁７４の作用を示している。
同図中（Ａ）は、弁体７６における開口１０６が通水室１３１に位置し、また開口１０８がストレート流出部１２４に位置した状態を表している。
この状態では、通水室１３１とストレート流出部１２４とが弁体７６の内部流路１１０を介して連通した状態となり、通水室１３１からの原水が内部流路１１０を通じてストレート流出部１２４に流出する。
【００６５】
（Ｂ）は（Ａ）に示す状態から弁体７６を角度θ１だけ回転させた状態を表している。
このとき、開口１０６は通水室１３１に依然として位置しており、また開口１０８がシャワー流出部１２６に位置した状態となって通水室１３１が、内部流路１１０を介してシャワー流出部１２６に連通した状態となる。
この状態では、通水室１３１からの原水が内部流路１１０を通じてシャワー流出部１２６に流出する。
【００６６】
この（Ｂ）に示す状態から更に弁体７６を当初の位置（（Ａ）に示す位置）から角度θ２（θ２＝９０°）だけ回転させると、このとき開口１０８が浄水流入部１２８に位置し、また開口１０６がストレート流出部１２４に位置した状態となる。
従ってこの状態では、浄水流入部１２８とストレート流出部１２４とが内部流路１１０を介して連通した状態となって、浄水流入部１２８からの浄水が、内部流路１１０を通じてストレート流出部１２４に流出する。
【００６７】
以上の説明から明らかなようにこの実施形態では、図２０（Ａ）に示す状態では弁体７６における開口１０６が通水室１３１からの原水の入側となり、開口１０８が原水の出側となる。
一方図２０（Ｃ）に示す状態では、開口１０８が浄水流入部１２８からの浄水の入側となり、開口１０６が浄水の出側となる。
即ち図２０（Ａ）に示す状態と（Ｃ）に示す状態とで、弁体７６の内部流路１１０の流路の向きが逆転する。
【００６８】
尚、図２０及び図８（Ａ），（Ｂ）に示しているように弁ケーシング７８の内面には、通水室１３１に向かって突出するストッパ突起１３２が一体に設けられている。
弁体７６は、このストッパ突起１３２への上記当接面１１２Ａ，１１２Ｂの当接によって回転角度が規制される。
具体的には、これらストッパ突起１３２と当接面１１２Ａ，１１２Ｂとの当接によって、弁体７６の回転角度位置が位置決めされる。
【００６９】
図２１及び図２２は上記切替弁７４による原水ストレート吐水，浄水ストレート吐水，原水シャワー吐水の切替時の作用を表している。
図２１（Ａ）及び図２２（Ａ）は、切替弁７４が原水ストレート吐水に切り替わった状態を表しており、このとき弁体７６は原水の通水室１３１とストレート流出部１２４とを内部流路１１０にて連通させた状態にあり、従って通水室１３１に流れ込んで来た原水は、弁体７６の内部流路１１０を通じてストレート流出部１２４に流出し、そして更にストレート吐水口６２に到って、そこから外部に原水ストレート吐水される。
尚このとき、浄水流入部１２８は弁体７６により遮断された状態にあり、当然ながら浄水の吐水は行われない。
【００７０】
一方この（Ａ）に示す状態から切替操作部２４を中間位置まで下向きに回転させると（図２２（Ｂ）に示す状態）、このとき原水の通水室１３１とシャワー流出部１２６とが内部流路１１０を介して連通した状態となり、通水室１３１からの原水がシャワー流出部１２６に流出して原水シャワー吐水口６４へと到り、そこから原水シャワー吐水される（図２１（Ｂ）参照）。
尚この図２１（Ｂ）に示す状態の下でも浄水流入部１２８は遮断された状態にあり、当然に浄水の吐水は行われない。
【００７１】
更にこの（Ｂ）に示す状態から、切替操作部２４を更に最下端位置まで下向きに回転させると（図２２（Ｃ）に示す状態）、このとき浄水の浄水流入部１２８とストレート流出部１２４とが内部流路１１０を介して連通した状態となり、浄水流路６０Ｂからの浄水が、浄水流入部１２８を経て内部流路１１０を通じストレート流出部１２４へと流出し、その後ストレート吐水口６２から浄水ストレート吐水される。
この図２１（Ｃ）に示す状態では、原水の通水室１３１が弁体７６にて遮断された状態にあり、従って当然に原水の吐水は行われず、浄水の吐水のみが行われる。
【００７２】
本実施形態においては、図１５に示しているように浄化カートリッジ４２に対して、その外周側にこれとは別体をなす非透水性の筒状のカバー（ここでは樹脂製）１４２が組み付けられており、浄化カートリッジ４２が、カバー付きのものとして構成してある。
そしてこのカバー１４２付き浄化カートリッジ４２の装着によって、図１５に示しているように吐水ヘッド本体２６と浄化カートリッジ４２との間の環状空間が、吐水ヘッド本体２６側の環状の外流路と、浄化カートリッジ４２側の環状の内流路とに、カバー１４２を隔壁として区画されている。
ここで内流路は軸方向の一端側（ここでは図中左端側）がカバー１４２によって閉鎖状態とされ、また他端側（図中右端側）が開放状態とされている（図１５では吐水ヘッド本体２６の化粧カバー３８は図示省略されている）。
【００７３】
これにより、吐水ヘッド本体２６側の外流路が、上流側から浄化カートリッジ４２に到った原水を、浄化カートリッジ４２を軸方向にバイパスして通過させる、原水流路の一部を成す原水通過流路５８Ａとして構成され、また内流路が、図中右端側の開放部から原水導入して原水を浄化カートリッジ４２の内部に流入させるカートリッジ流入流路５８Ｃとして構成されている。
【００７４】
ここで内流路から成るカートリッジ流入流路５８Ｃは、原水通過流路５８Ａを流れて図中右端に到った原水を、同端部の開放部から内部に流入させるもので、原水流路の一部を成すものであるが、このカートリッジ流入流路５８Ｃに到った原水は、原水状態で吐水口へと到ることはない。
【００７５】
浄化カートリッジ４２における図中右端のエンドキャップ１３６には、図１４に詳しく示しているように浄化材の外周面に嵌合する外嵌部１４６が設けられている。
この外嵌部１４６には、径方向外方に同じ高さで突出する複数の（ここでは８個の）嵌合突部１４８が、周方向に一定間隔ごとに設けられている。
そしてこの嵌合突部１４８に対して、上記カバー１４２の図中右端が嵌合させてある。
そしてこれら嵌合突部１４８に対するカバー１４２の右端部の嵌合によって、カバー１４２の右端部が浄化カートリッジ４２の外周面との間に間隔形成する状態で、浄化カートリッジ４２に対して径方向に位置決めされている。
上記内流路から成るカートリッジ流入流路５８Ｃは、これら嵌合突部１４８と１４８との間において外部に開放されている。
【００７６】
尚、図１４（Ｂ）に示しているように、各嵌合突部１４８の図中左側の先端部には、軸方向内方に進むにつれて径方向内方へと移行する傾斜形状のガイド面１５０が形成されている。
このガイド面１５０によるガイド作用によって、カバー１４２の図中右端部を嵌合突部１４８に対して嵌合させる際に、円滑にこれをなすことができる。
【００７７】
このエンドキャップ１３６にはまた、その外周縁に沿ってテーパ形状のガイド面１５２が全周に亘り形成されている。
即ち嵌合突部１４８と１４８との間において、エンドキャップ１３６の外周面且つ図中右端側に、軸方向外方に進むにつれて径方向内方に移行する傾斜形状のガイド面１５２が形成されている。
【００７８】
このガイド面１５２は、原水が嵌合突部１４８と１４８との間の開放部を通じて上記の内流路、即ちカートリッジ流入流路５８Ｃに流入する際の抵抗を少なくするように作用する。
従って原水は円滑に開放部を通じてカートリッジ流入流路５８Ｃへと流入することができる。
【００７９】
一方浄化カートリッジ４２における図１３（Ａ）中左端のエンドキャップ１３８には、図中右端のエンドキャップ１３６と同様に外嵌部１４６が設けられ、またこれとは軸方向の反対側に、上記の緊急遮断弁５１における弁体１４０を図中左向きの開弁方向に押し込む押込部１５４が設けられている。
【００８０】
カバー１４２は、図１２に示しているように浄化カートリッジ４２よりも大径の円筒形状をなしており、図１３（Ｂ）に示すように図中右端が全体に開放形状をなしている。
また左端には曲げ部１５６が設けられており、この曲げ部１５６の内側部分が開放形状とされている。
【００８１】
カバー１４２は、この曲げ部１５６を図１３（Ａ）の左端のエンドキャップ１３８の軸方向外面に当接させる状態に、浄化カートリッジ４２に組み付けられている（図１２（Ａ）参照）。
このカバー１４２には、図１２及び図１３に示しているように径方向内方に突出する形状で軸方向に延び、浄化カートリッジ４２の外周面に当接する突条形態のリブ１５８が周方向に一定間隔で複数設けられている。
【００８２】
これらリブ１５８は、樹脂製のカバー１４２の変形を抑制する作用と併せて、浄化カートリッジ４２の外周面への当接によって、カバー１４２を浄化カートリッジ４２に対して径方向に位置決めし、カバー１４２と浄化カートリッジ４２との間に設定された寸法の空間、即ち上記の内流路を成すカートリッジ流入流路５８Ｃを確保する働きを有する。
【００８３】
本実施形態では、図１５に示しているように切替弁７４を原水吐水状態に切り替えたとき、上流側から浄化カートリッジ４２に到った原水は、浄化カートリッジ４２の下流側において切替弁７４により原水流路が開、浄水流路が閉とされていることによって、外流路である原水通過流路５８Ａを軸方向に流れ、浄化カートリッジ４２をバイパスして頭部２８側の原水流路５８Ｂへと流入する。
そして更に切替弁７４を経由してストレート吐水口６２若しくは原水シャワー吐水口６４から原水吐水される。
このとき、原水は浄化カートリッジ４２を通過する際に浄化カートリッジ４２の外周面に触れることなく、浄化カートリッジ４２を通過して流れる。
【００８４】
一方、図１５（Ｂ）に示しているように切替弁７４を浄水吐水状態に切り替えると、浄化カートリッジ４２の下流側で原水流路が閉、浄水流路が開とされることによって、上流側から浄化カートリッジ４２に到った原水は、一旦原水通過流路５８Ａを図中右向きに流れた後、図中右端の開放部から内流路であるカートリッジ流入流路５８Ｃへと流れ込み、そしてカートリッジ流入流路５８Ｃを図中矢印で示す左向きに流れながら浄化カートリッジ４２内に流入し、更にこれを径方向に通過して中心流路６０Ａへと到る。
そして浄化カートリッジ４２を通過し、浄化された後の浄水が、この中心流路６０Ａから頭部２８内の浄水流路６０Ｂへと流入し、更に切替弁７４を経由してストレート吐水口６２から浄水吐水される。
【００８５】
本実施形態では、容器部を成す吐水ヘッド本体２６，その内部に収容されたカバー１４２付き浄化カートリッジ４２，原水通過流路５８Ａ，カートリッジ流入流路５８Ｃ，中心流路６０Ａ，原水流路５８Ｂ，浄水流路６０Ｂ，切替弁７４及びその切替操作部２４，ストレート吐水口６２及び原水シャワー吐水口６４等にて浄水装置が構成されている。
【００８６】
以上のような本実施形態によれば、浄水吐水時に浄化カートリッジ４２の外周面に付着した汚れが、原水の流れによって取り除かれ、原水中に入り込んで来るといったことを確実に防止することができ、従って吐水口からの原水吐水を常に清浄な吐水となすことができる。
【００８７】
また原水吐水時に高温の原水を流した場合であっても、原水が流れる原水通過流路５８Ａは、浄化カートリッジ４２から離れた位置にあるため、浄化カートリッジ４２の温度上昇を抑制し得て、浄化カートリッジ４２に吸着された物質が放出されるのを防止できる。従ってたとえば高温の原水を流した後に常温の上水を流したとしても、浄水吐水中にその放出された物質が混入するのを防ぐことができる。
【００８８】
また本実施形態では、カバー１４２付き浄化カートリッジ４２を装着するだけで、互いに独立した吐水ヘッド本体部２６側の原水通過流路５８Ａと、浄化カートリッジ４２側のカートリッジ流入流路５８Ｃとを画成でき、また吐水ヘッド本体２６と浄化カートリッジ４２との間の空間をそのまま利用して、それら２つの流路を形成するため、２つの流路を別々に形成しているにも拘らず吐水ヘッド本体２６を細くコンパクトに構成することができる。
【００８９】
また本実施形態では、浄化カートリッジ４２の下流側で切替弁７４を切替動作させることで、外流路である原水通過流路５８Ａと内流路であるカートリッジ流入流路５８Ｃとの間で流路切替をなすようにしているため、吐水口に到るまでの全流路の構成を簡単な構成となすことができる。
【００９０】
また本実施形態では、浄化カートリッジ４２にカバー１４２を取り付け、そのカバー１４２にて原水通過流路５８Ａとカートリッジ流入流路５８Ｃとを区画する隔壁を構成するようになしているため、カバー１４２付き浄化カートリッジ４２を吐水ヘッド本体２６の内部に収納するだけで、容器部をなす吐水ヘッド本体２６と浄化カートリッジ４２との間の環状空間を、外流路である原水通過流路５８Ａとカートリッジ流入流路５８Ｃとに簡単に区画することができる。
また吐水ヘッド本体２６側に隔壁を形成するための壁を設けておく必要をなくすことができる。
【００９１】
また浄化カートリッジ４２にカバー１４２を取り付けておくことで、浄化カートリッジ４２の装着或いは交換に際して、使用者が浄化カートリッジ４２を手で掴んだとき、外周面の不織布５０が傷付いたり、或いは汚れた手で浄化カートリッジ４２を掴んだ場合であっても、その汚れが不織布５０に付着してしまったりするのを防止することができる。
【００９２】
以上の実施形態では、カートリッジ流入流路５８Ｃの図中右端側、即ち原水通路流路５８Ａにおける下流側の端部を開放状態とした例であるが、本発明においては、図１６に示しているようにカートリッジ流入流路５８Ｃの図中左端側、即ち上流側の端部を開放状態となしておくこともできる。
【００９３】
ここでは左端のエンドキャップ１３８に、上記の複数の嵌合突部１４８を設けて、そこに曲げ部１５６を右端側に設けたカバー１４２の、全体的に開放形状をなす左端部を嵌合し、以て嵌合突部１４８と１４８との間の部分においてカートリッジ流入流路５８Ｃの端部を開放状態となしている。
【００９４】
この場合、図１７（Ａ）に示しているように切替弁７４を原水吐水状態に切り替えた状態では、上流側から浄化カートリッジ４２に到った原水は、浄化カートリッジ４２の下流側で切替弁７４により浄水流路が閉じられているため、内側流路であるカートリッジ流入流路５８Ｃへと流入することはできず、外側流路である原水通過流路５８Ａの側に流れ込んで、浄化カートリッジ４２をバイパスし、しかる後頭部２８内部の原水流路５８Ｂへと流入して、更に切替弁７４を経由してストレート吐水口６２又は原水シャワー吐水口６４から外部に原水吐水される。
【００９５】
一方切替弁７４を図１７（Ｂ）に示しているように浄水吐水側に切り替えた状態では、浄化カートリッジ４２に到った原水は、原水通過流路５８Ａ側に流入することはできず、カートリッジ流入流路５８Ｃの側に図中左端の開放部から流入し、更にカートリッジ流入流路５８Ｃを軸方向に流れながら、浄化カートリッジ４２内に流入し、そしてこれを径方向に通過して中心流路６０Ａへと到る。
そして浄化カートリッジ４２を通過することによって浄化された浄水は、この中心流路６０Ａから頭部２８内部の浄水流路６０Ｂへと流入し、更に切替弁７４を経由してストレート吐水口６２から外部に浄水吐水される。
【００９６】
本発明では、図１９に示しているようにカートリッジ流入流路５８Ｃに、連続気泡を有するスポンジ１６０その他の水含浸性の部材を収容しておき、スポンジ１６０等を経て原水を浄化カートリッジ４２内に流入させるようになすといったことも可能である。
また図１８に示しているようにカバー１４２の外面に、カートリッジ使用上の注意，使用方法等の、浄化カートリッジ４２使用に際しての説明文を記しておくことができる。
このようにすることで、使用者がその説明文を見る機会を多くすることができる。
【００９７】
以上本発明の実施形態を詳述したがこれはあくまで一例示であり、本発明は原水通過流路５８Ａとカートリッジ流入流路５８Ｃとを区画する隔壁を吐水ヘッド本体２６側に設けておくといったことも可能であるし、上記の吐水ヘッド２０を上例以外の他の様々な形態で構成するといったことも可能である。
また切替弁７４として他の様々な形態ないし構造のものを用いることも可能である等、本発明はその趣旨を逸脱しない範囲において種々変更を加えた形態で構成可能である。
【符号の説明】
【００９８】
１６  吐水管
２０  吐水ヘッド
２６  吐水ヘッド本体
４２  浄化カートリッジ
５８Ａ  原水通過流路
５８Ｂ  原水流路
５８Ｃ  カートリッジ流入流路
６０Ａ  中心流路
６０Ｂ  浄水流路
７４  切替弁
１３６，１３８  エンドキャップ（端部部材）
１４２  カバー
１４８  嵌合突部
１５０，１５２  ガイド面
１５８  リブ
【図１】
0005435289.tif 000002
【図２】
0005435289.tif 000003
【図３】
0005435289.tif 000004
【図４】
0005435289.tif 000005
【図５】
0005435289.tif 000006
【図６】
0005435289.tif 000007
【図７】
0005435289.tif 000008
【図８】
0005435289.tif 000009
【図９】
0005435289.tif 000010
【図１０】
0005435289.tif 000011
【図１１】
0005435289.tif 000012
【図１２】
0005435289.tif 000013
【図１３】
0005435289.tif 000014
【図１４】
0005435289.tif 000015
【図１５】
0005435289.tif 000016
【図１６】
0005435289.tif 000017
【図１７】
0005435289.tif 000018
【図１８】
0005435289.tif 000019
【図１９】
0005435289.tif 000020
【図２０】
0005435289.tif 000021
【図２１】
0005435289.tif 000022
【図２２】
0005435289.tif 000023